(57)【要約】【課題】重量の大きな被係止物を係止することができ、且つパネルへの取り付けを簡易に行うことができるフック構造を提供する。【解決手段】フック１０に、ベース部材１２と、フック部材１３と、ロックピン１４ａと、を設け、パネル１１裏面に取付孔１１ａの内方より係止されるベース部材１２の第一係止片１２ａの内方への撓みをロックピン１４ａで規制させ、更に、ロックピン１４ａに一体に設けられた筒状壁１４ｂとロックピン１４ａとで、係合したベース部材１２の第二係止片１２ｂ及びフック部材１３の第三係止片１３ａの係合部を挟み込ませるようにした。更に、筒状壁１４ｂに、ベース部材１２を覆い隠すフランジ１４ｅを一体に設けた。【選択図】　図１
2004060854.tif 000002
【特許請求の範囲】
【請求項１】
パネルの取付孔に挿通されて該パネル裏面に該取付孔の内方より係止される複数の第一係止片及び該第一係止片と前記パネルを挟んで反対側に突出する複数の第二係止片を備え、且つ、前記複数の第一係止片間及び前記複数の第二係止片間に跨ってロックピン挿入孔が形成されたベース部材と、前記第二係止片に係合して前記ロックピン挿入孔方向への移動が規制される第三係止片を備えるフック部材と、前記ロックピン挿入孔に挿入されて前記第一係止片及び第二係止片の内方への撓みを規制するロックピンと、が設けられたフック構造であって、
前記ロックピンと同心に前記第二係止片及び第三係止片との係合部の外側に設けられて、前記第二係止片と第三係止片との係合部を前記ロックピンとで挟み込むことにより、前記第二係止片と第三係止片が外方に撓み変形して係合部が外れるのを抑制する筒状壁が前記ロックピンに一体に設けられていることを特徴とするフック構造。
【請求項２】
前記筒状壁には前記ベース部材を覆い隠すフランジが一体に設けられていることを特徴とする請求項１に記載のフック構造。
【発明の詳細な説明】
【０００１】
【発明の属する技術分野】
本発明は、例えば自動車の内装トリム等のパネルに取り付けられて、被係止物を係止するためのフック構造に関するものである。
【０００２】
【従来の技術】
従来から、自動車の内装トリム等のパネルに手提げ袋やネット等の被係止物を係止するために、そのパネルにフックを取り付けたものがある。
【０００３】
このようなフックとしては、従来、例えば図１２に示す特開２００２−１２０６２７号公報に記載のフック１が知られている。
【０００４】
このフック１は、内装トリム２の取付孔２ａに挿入されるワッシャ部材１ａと、このワッシャ部材１ａの頂部に基部を嵌合するフック部材１ｂと、を有している。
【０００５】
そして、フック１を内装トリム２に取り付ける場合には、固定用ボルト１ｃをフック部材１ｂの基部の挿通孔１ｂ１、ワッシャ部材１ａ、基板１ｅ、スペーサ１ｆに挿通した後、この固定用ボルト１ｃの先端部をボディパネル３の図示しない挿通穴に挿通して、この固定用ボルト１ｃの先端部に固定用ナット１ｄを螺着することにより、内装トリム２とボディパネル３とをワッシャー部材１ａ、基板１ｅ、スペーサ１ｆを介してフック部材１ｂと固定用ナット１ｄとの間で挟み込む様にしていた。
【０００６】
また、このようなフックの他のものとして、図１３に示すような特開平８−６８４１２号公報に記載のフック４が知られている。
【０００７】
このフック４は、内装トリム２の取付孔２ａに挿入される雌部材４ａと、この雌部材４ａに嵌合される雄部材４ｂと、を有している。
【０００８】
そして、雌部材４ａには係止肩４ｃが設けられており、この係止肩４ｃを取付孔２ａの周縁に係止させ、雌部材４ａの取付孔２ａからの抜け出しを防止できるようになっている。
【０００９】
また、雄部材４ｂは被係止物を係止するためのホルダ４ｄを備えており、このホルダ４ｃは雄部材４ｂに回転可能に支承されている。
【００１０】
このフック４を内装トリム２に取り付ける場合には、内装トリム２に係止した雌部材４ａの中空胴部内に、雄部材４ｂを嵌入することにより行う。
【００１１】
【発明が解決しようとする課題】
このようなフックは、作業工数の軽減の観点から、取り付けが簡易であることが望ましい。また、より重い被係止物を係止できるように、係止可能な重量（耐荷重）が大きいことが望ましい。
【００１２】
しかしながら、従来のフック１においては、固定用ボルト１ｃ、固定用ナット１ｄにより取り付けていたため大きな耐荷重を得ることができるものの、固定用ボルト１ｃに固定用ナット１ｄを螺着する作業は手間がかかり、作業工数の増大を招いていた。
【００１３】
一方、フック４においては、雌部材４ａの中空胴部内に雄部材４ｂを嵌入するだけでフック４の取り付けができるものの、略Ｃ字状に形成されたホルダ４ｄは両端部４ｄ１，４ｄ１が雄部材４ｂの側部に形成された取付穴４ｂ１，４ｂ１に単に嵌め込みにより取り付けられていたため、比較的に大きな荷重がホルダ４ｄに作用した場合には両端部４ｄ１，４ｄ１が取付穴４ｂ１，４ｂ１から抜け外れる虞があり、このホルダｄに重量の大きな被係止物を係止することはできなかった。
【００１４】
そこで、本発明は、このような従来の課題に着目してされたものであり、重量の大きな被係止物を係止することができ、且つパネルへの取り付けを簡易に行うことができるフック構造の提供を目的とするものである。
【００１５】
【課題を解決するための手段】
前記目的を達成するために、請求項１記載の発明のフック構造は、ベース部材と、フック部材と、ロックピンと、が設けられており、前記ベース部材は、パネルの取付孔に挿通されて該パネル裏面に該取付孔の内方より係止される複数の第一係止片及び前記第一係止片と前記パネルを挟んで反対側に突出する複数の第二係止片を備え、且つ、前記複数の第一係止片間及び前記複数の第二係止片間に跨ってロックピン挿入孔が形成されている。
【００１６】
そして、前記フック部材は、前記第二係止片に係合して前記ロックピン挿入孔方向への移動が規制される第三係止片を備えている。
【００１７】
更に、前記ロックピンは、前記ロックピン挿入孔に挿入されて前記第一係止片及び第二係止片の内方への撓みを規制する。
【００１８】
しかも、前記ロックピンには、前記ロックピンと同心に前記第二係止片及び第三係止片との係合部の外側に設けられて、前記第二係止片と第三係止片との係合部を前記ロックピンとで挟み込むことにより、前記第二係止片と第三係止片が外方に撓み変形して係合部が外れるのを抑制する筒状壁が一体に設けられている。
【００１９】
【発明の効果】
このように構成された請求項１記載のものでは、前記ロックピンがロックピン挿入孔に挿入されて第二係止片の内方への撓みを規制すると共に、前記ロックピンに一体に設けられた筒状壁が前記第二係止片と第三係止片との係合部を前記ロックピンとの間で挟み込んで前記第二係止片と第三係止片が外方に撓み変形して係合部が外れるのを抑制する。
【００２０】
このため、前記第二係止片に係合した前記第三係止片の係合が外れず前記第三係止片の前記ロックピン挿入孔方向への移動の規制が保持されて、前記ベース部材から前記フック部材が抜け外れることが防止される。
【００２１】
更に、前記ロックピンが前記第一係止片の内方への撓みを規制するため、該第一係止片の前記パネル裏面への係止が外れることがなく、前記ベース部材が前記パネルから取り外れることが防止される。
【００２２】
したがって、前記フック部材に重量の大きな被係止物が係止されても、前記ベース部材が前記パネルから取り外れることも、前記ベース部材から前記フック部材が抜け外れることもなく、重量の大きな被係止物を係止することができるフック構造である。
【００２３】
更に、前記ロックピン挿入孔に、前記ロックピンを挿入するだけでパネルへ取り付けることができるので、パネルへの取り付けを簡易に行うことができるフック構造である。
【００２４】
【発明の実施の形態】
本発明の実施の形態を図を参照して説明する。
【００２５】
図１１に示すように、この実施の形態のフック１０は、手提げ袋やネット等の被係止物を係止できるように、自動車室Ｒ内に設けられたパネルとしての内装トリム１１に取り付けられる。
【００２６】
このフック１０は、図５に示すように、ベース部材１２、フック部材１３及びロック部材１４を備えている。
【００２７】
そして、ベース部材１２は、図７に示すように、上面視で略扇形を呈した４つの扇形片から形成されていると共にその中央部下方には筒状体１２ｄを有している。
【００２８】
この筒状体１２ｄは、図１に示したように内装トリム１１に設けた取付孔１１ａに挿入されている。
【００２９】
また、筒状体１２ｄの下部には、図８に示すように、下方に開放する４つ（複数）の切欠１２ｆが形成され、各切欠１２ｆ、１２ｆ間には第一係止片１２ａが形成されている。
【００３０】
そして、この第一係止片１２ａの内側下端部には突部１２ｅが形成されている。
【００３１】
また、この筒状体１２ｄの上部には、４つ（複数）の切欠１２ｈが形成され、この切欠１２ｈ、１２ｈ間にはベース部材１２とそれぞれ一体に設けられた可撓片が形成されている。そして、ベース部材１２には、この可撓片を第一係止片１２ａとは内装トリム１１を挟んで反対方向に延設することにより形成した４つ（複数）の第二係止片１２ｂが一体に形成されている。
【００３２】
また、１２ｇは第二係止片１２ｂの外側面に形成された係止爪１２ｇであり、この係止爪１２ｇは、下方に傾斜した第一ガイド１２ｇ１を上面に有している。
【００３３】
そして、ベース部材１２には、４片の第一係止片１２ａ間及び第二係止片１２ｂ間に跨るロックピン挿入孔１２ｃが形成されている。
【００３４】
また、ロック部材１４は、図１に示したようにロックピン挿入孔１２ｃに挿入されたロックピン１４ａを有する。
【００３５】
このロックピン１４ａは、図２に示すように、第一係止片１２ａに設けた突部１２ｅを半径方向に押圧して、第一係止片１２ａの下部を取付孔１１ａの周縁よりも外方に撓み変形させ、第一係止片１２ａが取付孔１１ａから抜け外れないように内装トリム１１裏面に取付孔１１ａの内方から係止させている。
【００３６】
更に、このロックピン１４ａには、このロックピン１４ａと同心に配設された筒状壁１４ｂが設けられている。
【００３７】
そして、この筒状壁１４ｂは架橋部１４ｃを介してロックピン１４ａと一体に設けられており、更に、図９に示すように、ロックピン１４ａと筒状壁１４ｂとの間には、架橋部１４ｃ、１４ｃ間に位置する４つの挿入孔１４ｄが形成されている。
【００３８】
また、筒状壁１４ｂには、筒状壁１４ｂの下端部から半径方向に延びるフランジ１４ｅが一体に設けられている。
【００３９】
このフランジ１４ｅは、図１に示すように、略一定の厚みを保持して下方に傾斜した断面傘状となっている。
【００４０】
しかも、このフランジ１４ｅは、ベース部材１２をカバーした状態で周縁部が内装トリム１１に当接させられている。
【００４１】
これにより、ベース部材１２が見栄えを損なうのが防止されている。
【００４２】
また、フック部材１３は、中空筒状の筒状部１３ｂと、筒状部１３ｂの上端から外方に向けて延びるフック本体部１３ｃとを有し、側面視で略Ｔ字状に形成されている。
【００４３】
また、図１０に示すように、筒状部１３ｂの下部には下方に開放する４つ（複数）の切欠１３ｅが形成され、各切欠１３ｅ、１３ｅ間には４つ（複数）の第三係止片１３ａが形成されている。
【００４４】
この第三係止片１３ａの下端部には、係止孔１３ｄが形成されていると共に、下端面には内方から下方に傾斜する第二ガイド１３ａ１が形成されている。
【００４５】
しかも、筒状部１３ｂの下端部すなわち第三係止片１３ａはロックピン１４ａと筒状壁１４ｂとの間に挿入され、第二係止片１２ｂの係止爪１２ｇが第三係止片１３ａの係止孔１３ｄにロックピン挿入孔１２ｃの中心側から半径方向に向けて挿入係合させられている。
【００４６】
これにより、第二係止片１２ｂと第三係止片１３ａがロックピン挿入孔１２ｃ方向、すなわちロックピン１４ａのロックピン挿入孔１２ｃへの挿入における前後方向には分離しないように係合している。
【００４７】
しかも、第二係止片１２ｂの係止爪１２ｇが第三係止片１３ａの係止孔１３ｄとの係合部はロックピンと筒状壁１４ｂとの間で挟み込まれている。
【００４８】
これにより、第二係止片１２ｂがロックピン挿入孔１２ｃの中心側に撓み変形するのが規制されていると共に、第三係止片１３ａがロックピン挿入孔１２ｃの半径方向に撓み変形するのが規制されていて、第二係止片１２ｂの係止爪１２ｇが第三係止片１３ａの係止孔１３ｄから外れないようになっている。
【００４９】
次に、このようなフック構造を有するフック１０が奏する作用を、取付方法に沿って説明する。
【００５０】
まず、図３、図４に示すように、ベース部材１２の第一係止片１２ａを内装トリム１１の取付孔１１ａに挿通して、ベース部材１２の下面を内装トリム１１に当接させる。
【００５１】
一方、フック部材１３の第三係止片１３ａを、ロックピン１４ａと筒状壁１４ｂとの間に挿入すると共に挿入孔１４ｄに挿入する。
【００５２】
この際、第三係止片１３ａは、第三係止片１３ａに設けられた係止孔１３ｄが筒状壁１４ｂより下方に位置するまで挿入する。
【００５３】
そして、この様にフック部材１３をロック部材１４に組み付けた状態で、ロック部材１４のロックピン１４ａを、ベース部材１２のロックピン挿入孔１２ｃに挿入する。
【００５４】
このとき、第三係止片１３ａの第二ガイド１３ａ１が第二係止片１２ｂの第一ガイド１２ｇ１と当接するように、ロックピン１４ａをロックピン挿入孔１２ｃに挿入させる。
【００５５】
この状態で、更にフック部材１３及びロック部材１４をベース部材１２側に押圧させる。
【００５６】
これにより、第一ガイド１２ｇ１及び第二ガイド１３ａ１は第二係止片１２ｂに外方へ向かう押圧を作用させて、第三係止片１３ａを外方に撓み変形させる。
【００５７】
更に、フック部材１３及びロック部材１４をベース部材１２側に押圧することにより、第二係止片１２ｂの係止爪１２ｇに第三係止片１３ａの係止孔１３ｄをロックピン挿入孔１２ｃの半径方向から係合させる。
【００５８】
このように、第二係止片１２ｂの係止爪１２ｇと第三係止片１３ａの係止孔１３ｄとを係合させることにより、フック部材１３の第三係止片１３ａは、ロックピン挿入孔１２ｃ方向への移動が規制され、フック部材１３は、ベース部材１２からロックピン挿入孔１２ｃ方向には抜け外れることがなくなる。
【００５９】
更に、ロックピン挿入孔１２ｃに挿入させられたロックピン１４ａは、第二係止片１２ｂの内側面に接し、第二係止片１２ｂの内方への撓みを規制する。
【００６０】
次に、図１、図２に示すように、ロック部材１４を下方に押し下げて、フランジ１４ｅの周縁部を内装トリム１１に当接させることにより、図６に示すように、フランジ１４ｅによってベース部材１２を覆い隠す。
【００６１】
このように、ベース部材１２をフランジ１４ｅによりカバーすることにより、、フック１０の外観品質は良好となる。
【００６２】
しかも、このようにロック部材１４を押し下げることで、ロックピン１４ａの下部外側面が突部１２ｅと接触して第一係止片１２ａを外方に押し拡げ、第一係止片１２ｂを内装トリム１１の裏面に取付孔１１ａの内方より係止させる。
【００６３】
この状態では、ロックピン１４ａが、第一係止片１２ｂの内方への撓みを規制して、ベース部材１２の第一係止片１２ｂが、取付孔１１ａから抜け出すことを防止する。
【００６４】
また、このとき筒状壁１４ｂは、第二係止片１２ｂと第三係止片１３ａとの係合部、すなわち係止爪１２ｇと係止孔１３ｄの係合部の外側に位置する。
【００６５】
このため、第二係止片１２ｂと第三係止片１３ａとの係合部は、ロックピン１４ａと筒状壁１４ｂとの間に挟み込まれる。
【００６６】
したがって、この筒状壁１４ｂにより、第二係止片１２ｂと第三係止片１３ａが外方に撓み変形して係合部が外れるのが抑制されて、係止爪１２ｇと係止孔１３ｄとの係合が外れることが防止される。
【００６７】
このように、本実施形態のフック１０は、ロックピン１４ａがベース部材１２の第一係止片１２ａの内方への撓みを規制して、第一係止片１２ａの内装トリム１１裏面への係止が外れるのを防ぐと共に、ロックピン１４ａと筒状壁１４ｂとが第二係止片１２ｂと第三係止片１３ａとの係合部を挟み込んで、第二係止片１２ｂと第三係止片１３ａが外方に撓み変形して係合部が外れるのが抑制され、係止爪１２ｇと係止孔１３ｄとの係合が外れるのを防ぐ。
【００６８】
このため、フック１０に重量の大きな被係止物が係止されても、第一係止孔１２ａが取付孔１１ａから抜け出してベース部材１２が外れたり、係止爪１２ｇと係止孔１３ｄとの係合が外れてフック部材１３が抜け外れたりすることがない。
【００６９】
更に、ベース部材１２の第一係止片１２ａを取付孔１１ａに挿通する一方、ロック部材１４の挿入孔１４ｄにフック部材１３の第三係止片１３ａを挿入させた状態で、ベース部材１２のロックピン挿入孔１２ｃにロック部材１４のロックピン１４ａを挿入させるだけでフック１０が内装トリム１１に取り付けられるので、フック１０は、ねじ込み等の作業をすることなく内装トリム１１に簡易に取り付けることができ、取付の作業工数の軽減を図ることができる。
【００７０】
以上説明したように、本実施の形態のフック１０が有するフック構造は、ベース部材１２と、フック部材１３と、ロックピン１４ａと、が設けられており、ベース部材１２は、内装トリム（パネル）１１の取付孔１１ａに挿通されて内装トリム１１裏面に取付孔１１ａの内方より係止される４つ（複数）の第一係止片１２ａ及び第一係止片１２ａとは内装トリム１１を挟んで反対側に突出する４つ（複数）の第二係止片１２ｂを備え、且つ、４つの第一係止片１２ａ間及び４つの第二係止片１２ｂ間に跨ってロックピン挿入孔（ロックピン配設空間）１２ｃが形成されている。
【００７１】
そして、フック部材１３は、第二係止片１２ｂに係合してロックピン挿入孔１２ｃ方向への移動が規制される第三係止片１３ａを備えている。
【００７２】
更に、ロックピン１４ａは、ロックピン挿入孔１２ｃに挿入されて第一係止片１２ａ及び第二係止片１２ｂの内方への撓みを規制する。
【００７３】
しかも、ロックピン１４ａには、ロックピン１４ａと同心に第二係止片１２ｂ及び第三係止片１３ａとの係合部の外側に設けられて、第二係止片１２ｂと第三係止片１３ａとの係合部をロックピン１４ａとで挟み込むことにより、第二係止片１２ｂと第三係止片１３ａが外方に撓み変形して係合部が外れるのを抑制する筒状壁１４ｂが一体に設けられている。
【００７４】
この構成によれば、ロックピン１４ａがロックピン挿入孔１２ｃ内に挿入されて第二係止片１２ｂの内方への撓みを規制すると共に、ロックピン１４ａに一体に設けられた筒状壁１４ｂが第二係止片１２ｂ及び第三係止片１３ａとの係合部をロックピン１４ａとの間で挟み込んで第二係止片１２ｂと第三係止片１３ａが外方に撓み変形して係合部が外れるのを抑制する。
【００７５】
したがって、第二係止片１２ｂに対してロックピン挿入孔１２ｃの半径方向から係合した第三係止片１３ａの係合が外れることがなく、第三係止片１３ａのロックピン挿入孔１２ｃ方向への移動の規制が保持されて、ベース部材１２からフック部材１３が抜け外れることが防止される。
【００７６】
更に、ロックピン１４ａが第一係止片１２ａの内方への撓みを規制するため、第一係止片１２ａの内装トリム１１裏面への係止が外れることがなく、ベース部材１２が内装トリム１１から取り外れることが防止される。
【００７７】
したがって、フック１０が有するフック構造では、フック部材１３に重量の大きな被係止物が係止されても、ベース部材１２が内装トリム１１から取り外れることも、ベース部材１２からフック部材１３が抜け外れることもなく、重量の大きな被係止物を係止することができるものである。
【００７８】
更に、フック１０は、ロックピン挿入孔１２ｃにロックピン１４ａを挿入するだけで内装トリム１１へ取り付けられるので、内装トリム１１への取り付けを簡易に行うことができるフック構造を有している。
【００７９】
また、この発明の実施の形態のフック構造は、筒状壁１４ｂにはベース部材１２を覆い隠すフランジ１４ｅが一体に設けられている。
【００８０】
この構成によれば、フランジ１４ｅがベース部材１２を覆い隠すため、外観品質が良好である。
【００８１】
以上、この発明の実施の形態を図により説明してきたが、具体的な構成はこの実施例に限らず、この発明の要旨を逸脱しない範囲の設計の変更があってもこの発明に含まれる。
【００８２】
例えば、第三係止片１３ａの係止孔１３ｄは第二係止片１２ｂの係止爪１２ｇに対してロックピン挿入孔１２ｃの半径方向から係合させられるようになっているが、第三係止片１３ａは中心方向から係合させられるものでも良い。
【００８３】
また、第二係止片１２ｂと第三係止片１３ａのロックピン挿入孔１２ｃ方向への移動が規制されるものであれば、第二係止片１２ｂと第三係止片１３ａとの係合は、必ずしも係止爪１２ｇ及び係止孔１３ｄによるものでなくとも良い。
【００８４】
例えば、第二係止片１２ｂと第三係止片１３ａとに互いに係合可能な係止爪を設けても良い。
【００８５】
さらに、突部１２ｅは、第一係止片１２ａの内側下端部に形成されているが、第一係止片１２ａの外側下端部に形成されていても良い。
【００８６】
このようにしても、ロックピン１４ａが第一係止片１２ａの内方への撓みを規制して、第一係止片１２ａの内装トリム１１裏面への係止が外れることが防止される。
【００８７】
また、ロックピン１４ａは、第二係止片１２ｂの内側面に接して第二係止片１２ｂの内方への撓みを規制しているが、ロックピン１４ａは第二係止片１２ｂの内側面に必ずしも接していなくともよい。
【００８８】
すなわち、第二係止片１２ｂの内方への撓みを規制することができれば、適当な間隔を有していてもよい。
【００８９】
また、筒状壁１４ｂは円筒状となっているが、第二係止片１２ｂと第三係止片１３ａが互いの係合部において外方に撓み変形するのを規制することができるものであれば、多角形筒状でもよい。
【図面の簡単な説明】
【図１】本発明に係るフック構造を有するフックの図５、図６でのＡ−Ａ線に沿う断面図である。
【図２】本発明に係るフック構造を有するフックの図５、図６でのＢ−Ｂ線に沿う断面図である。
【図３】本発明に係るフック構造を有するフックの図５、図６でのＡ−Ａ線に沿う断面における取付説明図である。
【図４】本発明に係るフック構造を有するフックの図５、図６でのＢ−Ｂ線に沿う断面における取付説明図である。
【図５】本発明に係るフック構造を有するフックの斜視図である。
【図６】本発明に係るフック構造を有するフックの上面図である。
【図７】本発明に係るフック構造を有するフックに設けられるベース部材の上面図である。
【図８】本発明に係るフック構造を有するフックに設けられるベース部材の下面図である。
【図９】本発明に係るフック構造を有するフックに設けられるロックピンの上面図である。
【図１０】本発明に係るフック構造を有するフックの図５でのＣ−Ｃ線に沿う断面図である。
【図１１】本発明に係るフック構造を有するフックをパネルに取り付けたときの斜視図である。
【図１２】従来のフック構造（１）である。
【図１３】従来のフック構造（２）である。
【符号の説明】
１０・・・フック
１１・・・内装トリム（パネル）
１１ａ・・・取付孔
１２・・・ベース部材
１２ａ・・・第一係止片
１２ｂ・・・第二係止片
１２ｃ・・・ロックピン挿入孔
１３・・・フック部材
１３ａ・・・第三係止片
１４・・・ロック部材
１４ａ・・・ロックピン
１４ｂ・・・筒状壁
１４ｅ・・・フランジ
【図１】
2004060854.tif 000003
【図２】
2004060854.tif 000004
【図３】
2004060854.tif 000005
【図４】
2004060854.tif 000006
【図５】
2004060854.tif 000007
【図６】
2004060854.tif 000008
【図７】
2004060854.tif 000009
【図８】
2004060854.tif 000010
【図９】
2004060854.tif 000011
【図１０】
2004060854.tif 000012
【図１１】
2004060854.tif 000013
【図１２】
2004060854.tif 000014
【図１３】
2004060854.tif 000015